【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
第１のインバータスイッチおよび第２のインバータスイッチを備えるインバータであって、前記インバータは、ＤＣ入力電圧を受信してＡＣ出力電圧を前記インバータの出力で供給するように構成される、インバータと、
ＤＣ出力電圧を供給するように構成される整流器であって、前記整流器は、第１の整流器スイッチおよび第２の整流器スイッチを備え、前記第１のインバータスイッチおよび第２のインバータスイッチのうちの少なくとも１つは、前記第１の整流器スイッチおよび第２の整流器スイッチのどちらにも電気的に接続されない、整流器と、
前記インバータと前記整流器との間に結合される共振タンクと、
前記第１及び第２のインバータスイッチそれぞれのゼロ電圧スイッチング（ＺＶＳ）が有効になり、持続されるように、複数の入力パラメータに基づいて、前記第１のインバータスイッチおよび前記第２のインバータスイッチそれぞれの位相およびデューティサイクルを独立に制御および調整するように構成されるコントローラであって、前記第１及び第２のインバータスイッチが遷移する時間中に前記第１及び第２のインバータスイッチでＺＶＳが起こり、前記第１及び第２のインバータスイッチの両端の電圧が実質的にゼロになり、かつ、前記コントローラは、前記第１及び第２の整流器スイッチそれぞれのゼロ電圧スイッチング（ＺＶＳ）が有効になり、持続されるように、前記複数の入力パラメータに基づいて、前記第１の整流器スイッチおよび前記第２の整流器スイッチそれぞれの位相およびデューティサイクルを独立に制御および調整するように構成される、コントローラと、
を備える、ＤＣ／ＤＣコンバータ。
【請求項２】
前記第１のインバータスイッチ、第２のインバータスイッチ、第１の整流器スイッチ、および第２の整流器スイッチのそれぞれは、トランジスタを備える、請求項１に記載のＤＣ／ＤＣコンバータ。
【請求項３】
前記トランジスタは、ＭＯＳ−ＦＥＴ、パワーＭＯＳ−ＦＥＴ、ＬＤＭＯＳ−ＦＥＴ、ＧａＡｓ−ＨＥＭＴ、ＧａＮ−ＨＥＭＴ、およびＩＧＢＴからなる群から選択される、請求項２に記載のＤＣ／ＤＣコンバータ。
【請求項４】
前記ＤＣ／ＤＣコンバータは、スイッチング周波数を有し、かつ、前記共振タンクは、前記スイッチング周波数と実質的に等しい共振周波数を有する、請求項１に記載のＤＣ／ＤＣコンバータ。
【請求項５】
前記スイッチング周波数は５ＭＨｚを超える、請求項４に記載のＤＣ／ＤＣコンバータ。
【請求項６】
前記ＤＣ／ＤＣコンバータは、スイッチング周波数を有し、かつ、前記共振タンクは、前記スイッチング周波数と異なる共振周波数を有する、請求項１に記載のＤＣ／ＤＣコンバータ。
【請求項７】
第１のインバータスイッチおよび第２のインバータスイッチを備えるインバータであって、前記インバータは、ＤＣ入力電圧を受信してＡＣ出力電圧を前記インバータの出力で供給するように構成される、インバータと、
ＤＣ出力電圧を供給するように構成される整流器であって、前記整流器は、第１の整流器スイッチおよび第２の整流器スイッチを備え、前記第１の整流器スイッチおよび第２の整流器スイッチのどちらも、前記第１のインバータスイッチの端子へ電気的に接続されない、整流器と、
前記インバータと前記整流器との間に結合される共振タンクと、
前記第１及び第２のインバータスイッチそれぞれのゼロ電圧スイッチング（ＺＶＳ）が有効になり、持続されるように、複数の入力パラメータに基づいて、前記第１のインバータスイッチおよび前記第２のインバータスイッチそれぞれの位相およびデューティサイクルを独立に制御および調整するように構成されるコントローラであって、前記第１及び第２のインバータスイッチが遷移する時間中に各インバータスイッチでＺＶＳが起こり、前記第１及び第２のインバータスイッチの両端の電圧が実質的にゼロになり、かつ、前記コントローラは、前記第１及び第２の整流器スイッチそれぞれのゼロ電圧スイッチング（ＺＶＳ）が有効になり、持続されるように、前記複数の入力パラメータに基づいて、前記第１の整流器スイッチおよび前記第２の整流器スイッチそれぞれの位相およびデューティサイクルを独立に制御および調整するように構成され、前記コントローラは、ルックアップテーブルを含み、前記ルックアップテーブルは、前記第１のインバータスイッチ、第２のインバータスイッチ、第１の整流器スイッチ、および第２の整流器スイッチのそれぞれのための制御信号を提供する、コントローラと、
を備える、ＤＣ／ＤＣコンバータ。
【請求項８】
前記ルックアップテーブルは、前記ＤＣ／ＤＣコンバータに異なる負荷を印加する反復シミュレーションまたは反復測定により設定される、請求項７に記載のＤＣ／ＤＣコンバータ。
【請求項９】
前記コントローラは、前記第１のインバータスイッチ、前記第２のインバータスイッチ、前記第１の整流器スイッチ、および前記第２の整流器スイッチのそれぞれのための制御信号を生成するための複数のパラメータ出力を生じさせる、請求項７に記載のＤＣ／ＤＣコンバータ。
【請求項１０】
前記複数のパラメータ出力は、前記コントローラ内のルックアップテーブルから得られる、請求項９に記載のＤＣ／ＤＣコンバータ。
【請求項１１】
前記複数のパラメータ出力は、７つのパラメータ出力を含み、前記７つのパラメータ出力のそれぞれは、自由度を表す、請求項９に記載のＤＣ／ＤＣコンバータ。
【請求項１２】
前記整流器は、第１および第２のダイオードを有するダイオード整流器を備える、請求項１１に記載のＤＣ／ＤＣコンバータ。
【請求項１３】
前記複数の入力パラメータは、前記ＤＣ入力電圧、前記ＤＣ／ＤＣコンバータの目標出力電流、前記ＤＣ／ＤＣコンバータの目標出力電圧、前記ＤＣ／ＤＣコンバータの測定出力電流、前記ＤＣ／ＤＣコンバータの測定出力電圧、前記ＤＣ／ＤＣコンバータ内からの測定電流、および前記ＤＣ／ＤＣコンバータ内からの測定電圧のうちの、１つ以上を含む、請求項１２に記載のＤＣ／ＤＣコンバータ。
【請求項１４】
前記複数のパラメータ出力は、相対ターンオン時間、相対ターンオフ時間、オン時間幅、オフ時間幅およびデューティサイクルのうちの、１つ以上を含む、請求項９に記載のＤＣ／ＤＣコンバータ。
【請求項１５】
前記インバータ、前記整流器および前記共振タンクは、単一チップにおいて実現される、請求項１に記載のＤＣ／ＤＣコンバータ。
【請求項１６】
前記共振タンクと前記整流器との間に結合された変圧器をさらに備える、請求項１に記載のＤＣ／ＤＣコンバータ。
【請求項１７】
インダクタをさらに備え、前記インダクタは、磁性体コアを有しない、請求項１に記載のＤＣ／ＤＣコンバータ。
【請求項１８】
前記インバータ、整流器および共振タンクは、単一チップキャリア内にすべて包括される、請求項１に記載のＤＣ／ＤＣコンバータ。
【請求項１９】
前記整流器からの出力を受信するように構成された出力フィルタをさらに備える、請求項１１に記載のＤＣ／ＤＣコンバータ。
【請求項２０】
前記共振タンクは、前記第１のインバータスイッチのソースおよび前記第２のインバータスイッチのドレインに接続され、前記第１の整流器スイッチのソースおよび前記第２の整流器スイッチのドレインにも接続される、請求項１に記載のＤＣ／ＤＣコンバータ。
【請求項２１】
前記複数の入力パラメータは、ＤＣ入力電圧、前記ＤＣ／ＤＣコンバータの目標出力電流、前記ＤＣ／ＤＣコンバータの目標出力電圧、前記ＤＣ／ＤＣコンバータの測定出力電流、前記ＤＣ／ＤＣコンバータの測定出力電圧、前記ＤＣ／ＤＣコンバータ内からの測定電流、および前記ＤＣ／ＤＣコンバータ内からの測定電圧のうちの、１つ以上を含む、請求項１に記載のＤＣ／ＤＣコンバータ。
【請求項２２】
ＤＣ入力電圧の、ＤＣ入力電圧端子へ結合されたインバータを介した第１のＡＣ出力電圧への変換であって、前記インバータは、第１のインバータスイッチおよび第２のインバータスイッチを備え、前記変換は、前記第１および第２のインバータスイッチそれぞれの位相およびデューティサイクルを独立して制御および調整することが、前記第１のインバータスイッチおよび前記第２のインバータスイッチそれぞれのゼロ電圧スイッチング（ＺＶＳ）を生じさせるように、複数の入力パラメータに基づいて、前記第１のインバータスイッチおよび前記第２のインバータスイッチそれぞれの前記位相およびデューティサイクルを独立して制御および調整することを含む、変換と、
前記ＡＣ出力電圧を、第２のＡＣ出力電圧を生じさせるために、共振タンクを介して伝達することと、
ＤＣ出力電圧端子へ結合された整流器を使用した、前記第２のＡＣ出力電圧のＤＣ出力電圧への整流であって、前記整流器は、第１の整流器スイッチおよび第２の整流器スイッチを備え、前記整流は、前記第１の整流器スイッチおよび第２の整流器スイッチそれぞれの位相およびデューティサイクルを独立して制御および調整することが、前記第１または第２の整流器スイッチのどちらも前記第１のインバータスイッチに接続されていない、前記第１の整流器スイッチおよび前記第２の整流器スイッチそれぞれのゼロ電圧スイッチング（ＺＶＳ）を生じさせるように、前記複数の入力パラメータに基づいて、前記第１の整流器スイッチおよび前記第２の整流器スイッチそれぞれの前記位相およびデューティサイクルを独立して制御および調整することを含む、整流と
を含み、
第１及び第２の整流器スイッチが遷移する時間中に各整流器スイッチでゼロ電圧スイッチング（ＺＶＳ）が起こり、前記整流器スイッチの両端の電圧が実質的にゼロになり、かつ、前記第１のインバータスイッチおよび第２のインバータスイッチのうちの少なくとも１つは、前記第１の整流器スイッチおよび第２の整流器スイッチのどちらにも電気的に接続されていない、
ＤＣ電圧をＤＣ電圧に変換する方法。
【請求項２３】
前記整流は、同期的または非同期的に整流することを含む、請求項２２に記載の方法。
【請求項２４】
前記第１のインバータスイッチおよび第２のインバータスイッチ、ならびに第１の整流器スイッチおよび第２の整流器スイッチのそれぞれへ、共振ゲートドライバを介して制御信号を伝達することをさらに含む、請求項２２に記載の方法。
【請求項２５】
前記第１のインバータスイッチ、第２のインバータスイッチ、第１の整流器スイッチ、および第２の整流器スイッチは、スイッチング周波数で動作し、前記共振タンクは、前記スイッチング周波数と実質的に等しい共振周波数を有する、請求項２２に記載の方法。
【請求項２６】
前記スイッチング周波数は５ＭＨｚを超える、請求項２５に記載の方法。
【請求項２７】
前記第１のインバータスイッチ、第２のインバータスイッチ、第１の整流器スイッチおよび第２の整流器スイッチは、スイッチング周波数で動作し、前記共振タンクは、前記スイッチング周波数と異なる共振周波数を有する、請求項２２に記載の方法。
【請求項２８】
独立的に制御および調整する工程は、各スイッチの位相およびデューティサイクルを決定してそれによってＺＶＳを可能にするためにルックアップテーブルを利用することを含む、請求項２２に記載の方法。
【請求項２９】
変化する負荷に敏感な反復レーションおよび／または反復測定により、前記ルックアップテーブルを設定する工程をさらに含む、請求項２８に記載の方法。
【請求項３０】
前記複数の入力パラメータは、ＤＣ入力電圧、ＤＣ／ＤＣコンバータの目標出力電流、前記ＤＣ／ＤＣコンバータの目標出力電圧、前記ＤＣ／ＤＣコンバータの測定出力電流、前記ＤＣ／ＤＣコンバータの測定出力電圧、前記ＤＣ／ＤＣコンバータ内からの測定電流、および前記ＤＣ／ＤＣコンバータ内からの測定電圧のうちの、１つ以上を備える、請求項２２に記載の方法。